(57)【特許請求の範囲】
【請求項１】
一対の第１メイン端子及び一対の第１信号端子が設けられる第１コネクタハウジングと、
前記一対の第１メイン端子に嵌合及び離脱する一対の第２メイン端子が設けられ、且つ、前記第１コネクタハウジングに嵌合及び離脱する第２コネクタハウジングと、
前記一対の第１信号端子に嵌合及び離脱する一対の第２信号端子が設けられるとともに、前記第２コネクタハウジングに回転可能に設けられ、且つ、回転によって前記第１コネクタハウジングと前記第２コネクタハウジングとの間に嵌合力及び離脱力を作用させるレバーとを備え、
前記レバーのコネクタ嵌合開始位置からコネクタ嵌合完了位置への回転では、前記一対の第１メイン端子及び前記一対の第２メイン端子の間がオン状態となった後に、前記一対の第１信号端子及び前記一対の第２信号端子の間がオン状態となり、
前記レバーのコネクタ嵌合完了位置からコネクタ嵌合開始位置への回転では、前記一対の第１信号端子及び前記一対の第２信号端子の間がオフ状態となった後に、前記一対の第１メイン端子及び前記一対の第２メイン端子の間がオフ状態となる電源回路遮断装置であって、
前記一対の第１信号端子及び前記一対の第２信号端子は、前記レバーの回転支持軸方向の直交方向に沿う直線上にそれぞれ間隔を置いて配置され、
前記レバーは、前記レバーの回転を操作可能な操作部を備え、前記操作部は、前記一対の第２信号端子の位置よりも回転先端側に設けられ、
前記一対の第２信号端子が前記操作部の近傍に設けられていることで、前記直線の延伸方向では、前記レバーの回転支持軸と前記一対の第２信号端子のうちの前記レバーの回転支持軸側の第２信号端子との間の距離が、前記レバーの回転支持軸と前記操作部との間の距離よりも小さくなっていることを特徴とする電源回路遮断装置。
【請求項２】
一対の第１メイン端子及び一対の第１信号端子が設けられる第１コネクタハウジングと、
前記一対の第１メイン端子に嵌合及び離脱する一対の第２メイン端子が設けられ、且つ、前記第１コネクタハウジングに嵌合及び離脱する第２コネクタハウジングと、
前記一対の第１信号端子に嵌合及び離脱する一対の第２信号端子が設けられるとともに、前記第２コネクタハウジングに回転可能に設けられ、且つ、回転によって前記第１コネクタハウジングと前記第２コネクタハウジングとの間に嵌合力及び離脱力を作用させるレバーとを備え、
前記レバーのコネクタ嵌合開始位置からコネクタ嵌合完了位置への回転では、前記一対の第１メイン端子及び前記一対の第２メイン端子の間がオン状態となった後に、前記一対の第１信号端子及び前記一対の第２信号端子の間がオン状態となり、
前記レバーのコネクタ嵌合完了位置からコネクタ嵌合開始位置への回転では、前記一対の第１信号端子及び前記一対の第２信号端子の間がオフ状態となった後に、前記一対の第１メイン端子及び前記一対の第２メイン端子の間がオフ状態となる電源回路遮断装置であって、
前記一対の第１信号端子及び前記一対の第２信号端子は、前記レバーの回転支持軸方向の直交方向に沿う直線上にそれぞれ間隔を置いて配置され、
前記レバーは、前記レバーの回転を操作可能な操作部を備え、前記操作部は、前記一対の第２信号端子の位置における側方側に設けられ、
前記一対の第２信号端子が前記操作部の近傍に設けられていることで、前記直線の延伸方向では、前記一対の第２信号端子と前記操作部とはお互いが同じところに位置していることを特徴とする電源回路遮断装置。
【請求項３】
請求項１または請求項２に記載の電源回路遮断装置であって、
前記一対の第１信号端子及び前記一対の第２信号端子は、前記レバーの回転支持軸方向の直交方向に沿う直線上に沿った状態で配置されることを特徴とする電源回路遮断装置。
【請求項４】
請求項１〜請求項３のいずれか１項に記載の電源回路遮断装置であって、
前記一対の第１メイン端子及び前記一対の第２メイン端子は、前記レバーの回転支持軸方向の直交方向に沿う直線上に沿った状態で、それぞれ間隔を置いて配置されることを特徴とする電源回路遮断装置。
【請求項５】
請求項１〜請求項４のいずれか１項に記載の電源回路遮断装置であって、
第１コネクタハウジングの両側面には、一対のカムピンが突設されており、
前記レバーには一対のカム溝が形成されており、
前記一対のカム溝のそれぞれに前記一対のカムピンが挿入され、コネクタ嵌合開始位置とコネクタ嵌合完了位置との間で、前記レバーの回転支持軸を中心にして前記レバーが回転をすることで、前記カム溝と前記カムピンとによって、前記第１コネクタハウジングと前記第２コネクタハウジングとの間に嵌合力及び離脱力が発生するように構成されており、
前記直線の延伸方向では、前記カムピンの位置と前記レバーの回転支持軸の位置とがお互いに一致しているとともに、前記一対の各メイン端子の中央に前記カムピンが位置していることを特徴とする電源回路遮断装置。
【発明の詳細な説明】
【技術分野】
【０００１】
本発明は、レバー付きのコネクタハウジング間の嵌合及び離脱によって電源回路の接続や遮断を行う電源回路遮断装置に関する。
【背景技術】
【０００２】
従来から、電気自動車（ＥＶ）やハイブリッド電気自動車（ＨＥＶ）にあっては、電気系統のメンテナンス等での作業安全性を確保するため、電源部と負荷間との通電を遮断する電源回路遮断装置（サービスプラグ）について様々な提案がなされている（例えば特許文献１参照）。
【０００３】
この種の電源回路遮断装置として、本出願人は図１２〜図１５に示すものを提案した。具体的には、図１２〜図１４に示すように、電源回路遮断装置１００は、第１コネクタハウジング１１０と、第１コネクタハウジング１１０に嵌合及び離脱する第２コネクタハウジング１２０と、第２コネクタハウジング１２０に回転可能に設けられ、且つ、回転によって第１コネクタハウジング１１０と第２コネクタハウジング１２０との間に嵌合力や離脱力を作用させるレバー１３０とを備えている。
【０００４】
第１コネクタハウジング１１０の両側面には、一対のカムピン１１１が突設されている。第１コネクタハウジング１１０に設けられるコネクタ嵌合室１１０a内には、一対の第１メイン端子１１３（図１３参照）が配置され、第１コネクタハウジング１１０に設けられる外部フード部１１５内には、一対の第１信号端子１１６が配置されている。
【０００５】
第２コネクタハウジング１２０の両側面には、一対の回転軸１２１（図１２参照）が突設されている。第２コネクタハウジング１２０内には、第１メイン端子１１３と嵌合及び離脱する一対の第２メイン端子１２２（図１４参照）が設けられている。
【０００６】
レバー１３０の両側面には、一対の回転受け溝１３１が形成されている。この一対の回転受け溝１３１に第２コネクタハウジング１２０の一対の回転軸１２１が軸支されている。これにより、レバー１３０は、第２コネクタハウジング１２０に回転自在に支持されている。また、レバー１３０の両側面には、一対のカム溝１３２が設けられている。この一対のカム溝１３２に第１コネクタハウジング１１０のカムピン１１１が挿入される。レバー１３０の側面部に設けられるフード部１３３内には、一対の第２信号端子１３４が配置されている。
【０００７】
双方の第１メイン端子１１３及び第２メイン端子１２２によってメイン回路スイッチ（不図示）が構成されている。一方で、双方の第１信号端子１１６及び第２信号端子１３４によって信号回路スイッチ（不図示）が構成されている。
【０００８】
以下において、上述した電源回路遮断装置１００の電源回路の導通動作について説明する。第２コネクタハウジング１２０を第１コネクタハウジング１１０のコネクタ嵌合室（不図示）に挿入すると共に、レバー１３０のカム溝１３２の入口にカムピン１１１を挿入する。双方の第１コネクタハウジング１１０と第２コネクタハウジング１２０との間はコネクタ嵌合開始状態となる。
【０００９】
レバー１２０がコネクタ嵌合開始位置からコネクタ嵌合完了位置側に回転すると、カムピン１１１がカム溝１３２内を移動し、第１コネクタハウジング１１０と第２コネクタハウジング１２０との間に嵌合力が作用して第２コネクタハウジング１２０が第１コネクタハウジング１１０のコネクタ嵌合室に徐々に挿入される。そして、一対の第１メイン端子１１３と一対の第２メイン端子１２２との間は、接触状態となる。これにより、コネクタ嵌合操作位置では、メイン回路スイッチ（不図示）がオン状態となる。
【００１０】
レバー１３０が更に回転すると、一対の第１信号端子１１６と一対の第２信号端子１３４とが徐々に接触し、レバー１３０の操作完了位置では完全接触状態となる。これにより、レバー１３０の操作完了位置では、信号回路スイッチ（不図示）がオン状態となる。電源回路遮断装置１００は、一対のメイン端子同士がオン状態となった後で、且つ、一対の信号端子同士がオン状態となった時点で初めて電源回路（不図示）が導通状態となる。
【００１１】
また、電源回路遮断装置１００の電源遮断動作は、レバー１３０を上記と逆操作することによって行うことができる。これにより、電源回路遮断装置１００は、第１信号端子１１６及び第２信号端子１３４がオフ状態となった時点で電源回路（不図示）が遮断するため、その後、第１メイン端子１１３及び第２メイン端子１２２同士のオフ状態への切り換え時点では、アーク放電の発生を防止できる。
【００１２】
ところで、上述した一対の第１信号端子１１６及び一対の第２信号端子１３４は、図１３及び図１４に示すように、レバー１３０の回転支持軸方向に沿ってそれぞれ間隔を置いて配置されている。具体的には、一対の第１信号端子１１６は、雌端子形状である。一方、一対の第２信号端子１３４は、雄端子形状である。この一対の第２信号端子１３４は、図１５に示すように、連結プレート部１３５により一体に設けられており、該連結プレート部１３５の箇所で折曲されて対向配置されている。
【先行技術文献】
【特許文献】
【００１３】
【特許文献１】特開２００２−２９８７０４号公報
【発明の概要】
【発明が解決しようとする課題】
【００１４】
しかしながら、上述した従来の電源回路遮断装置１００では、一対の第１信号端子１１６及び一対の第２信号端子１３４は、レバー１３０の回転支持軸方向に沿ってそれぞれ間隔を置いて配置されている。このため、レバー１３０がコネクタ嵌合開始位置からコネクタ嵌合完了位置へ回転すると、一対の第１信号端子１１６に対して、互いに対向した一対の第２信号端子１３４が同時に接触する。従って、一対の第１信号端子１１６に一対の第２信号端子１３４が接触する際、レバー１３０を回転させるための力が増大するため、レバー１３０の操作性が低下してしまう恐れがあった。
【００１５】
そこで、本発明は、レバーの操作性を向上させることができる電源回路遮断装置の提供を目的とする。
【課題を解決するための手段】
【００１６】
請求項１に記載の発明は、一対の第１メイン端子及び一対の第１信号端子が設けられる第１コネクタハウジングと、前記一対の第１メイン端子に嵌合及び離脱する一対の第２メイン端子が設けられ、且つ、前記第１コネクタハウジングに嵌合及び離脱する第２コネクタハウジングと、前記一対の第１信号端子に嵌合及び離脱する一対の第２信号端子が設けられるとともに、前記第２コネクタハウジングに回転可能に設けられ、且つ、回転によって前記第１コネクタハウジングと前記第２コネクタハウジングとの間に嵌合力及び離脱力を作用させるレバーとを備え、前記レバーのコネクタ嵌合開始位置からコネクタ嵌合完了位置への回転では、前記一対の第１メイン端子及び前記一対の第２メイン端子の間がオン状態となった後に、前記一対の第１信号端子及び前記一対の第２信号端子の間がオン状態となり、前記レバーのコネクタ嵌合完了位置からコネクタ嵌合開始位置への回転では、前記一対の第１信号端子及び前記一対の第２信号端子の間がオフ状態となった後に、前記一対の第１メイン端子及び前記一対の第２メイン端子の間がオフ状態となる電源回路遮断装置であって、前記一対の第１信号端子及び前記一対の第２信号端子は、前記レバーの回転支持軸方向の直交方向に沿う直線上にそれぞれ間隔を置いて配置され、前記レバーは、前記レバーの回転を操作可能な操作部を備え、前記操作部は、前記一対の第２信号端子の位置よりも回転先端側に設けられ、前記一対の第２信号端子が前記操作部の近傍に設けられていることで、前記直線の延伸方向では、前記レバーの回転支持軸と前記一対の第２信号端子のうちの前記レバーの回転支持軸側の第２信号端子との間の距離が、前記レバーの回転支持軸と前記操作部との間の距離よりも小さくなっていることを特徴とする。
また、請求項２に記載の発明は、一対の第１メイン端子及び一対の第１信号端子が設けられる第１コネクタハウジングと、前記一対の第１メイン端子に嵌合及び離脱する一対の第２メイン端子が設けられ、且つ、前記第１コネクタハウジングに嵌合及び離脱する第２コネクタハウジングと、前記一対の第１信号端子に嵌合及び離脱する一対の第２信号端子が設けられるとともに、前記第２コネクタハウジングに回転可能に設けられ、且つ、回転によって前記第１コネクタハウジングと前記第２コネクタハウジングとの間に嵌合力及び離脱力を作用させるレバーとを備え、前記レバーのコネクタ嵌合開始位置からコネクタ嵌合完了位置への回転では、前記一対の第１メイン端子及び前記一対の第２メイン端子の間がオン状態となった後に、前記一対の第１信号端子及び前記一対の第２信号端子の間がオン状態となり、前記レバーのコネクタ嵌合完了位置からコネクタ嵌合開始位置への回転では、前記一対の第１信号端子及び前記一対の第２信号端子の間がオフ状態となった後に、前記一対の第１メイン端子及び前記一対の第２メイン端子の間がオフ状態となる電源回路遮断装置であって、前記一対の第１信号端子及び前記一対の第２信号端子は、前記レバーの回転支持軸方向の直交方向に沿う直線上にそれぞれ間隔を置いて配置され、前記レバーは、前記レバーの回転を操作可能な操作部を備え、前記操作部は、前記一対の第２信号端子の位置における側方側に設けられ、前記直線の延伸方向で前記一対の第２信号端子が前記操作部の近傍に設けられていることで、前記直線の延伸方向では、前記一対の第２信号端子と前記操作部とはお互いが同じところに位置していることを特徴とする。
また、請求項３に記載の発明は、請求項１または請求項２に記載の電源回路遮断装置であって、前記一対の第１信号端子及び前記一対の第２信号端子は、前記レバーの回転支持軸方向の直交方向に沿う直線上に沿った状態で配置されることを特徴とする。
また、請求項４に記載の発明は、請求項１〜請求項３のいずれか１項に記載の電源回路遮断装置であって、前記一対の第１メイン端子及び前記一対の第２メイン端子は、前記レバーの回転支持軸方向の直交方向に沿う直線上に沿った状態で、それぞれ間隔を置いて配置されることを特徴とする。
また、請求項５に記載の発明は、請求項１〜請求項４のいずれか１項に記載の電源回路遮断装置であって、第１コネクタハウジングの両側面には、一対のカムピンが突設されており、前記レバーには一対のカム溝が形成されており、前記一対のカム溝のそれぞれに前記一対のカムピンが挿入され、コネクタ嵌合開始位置とコネクタ嵌合完了位置との間で、前記レバーの回転支持軸を中心にして前記レバーが回転をすることで、前記カム溝と前記カムピンとによって、前記第１コネクタハウジングと前記第２コネクタハウジングとの間に嵌合力及び離脱力が発生するように構成されており、前記直線の延伸方向では、前記カムピンの位置と前記レバーの回転支持軸の位置とがお互いに一致しているとともに、前記一対の各メイン端子の中央に前記カムピンが位置していることを特徴とする。
【００１７】
かかる特徴によれば、一対の第１信号端子及び一対の第２信号端子は、レバーの回転支持軸方向の直交方向に沿う直線上にそれぞれ間隔を置いて配置される。これにより、レバーがコネクタ嵌合開始位置からコネクタ嵌合完了位置へ回転すると、一方の第１信号端子と一方の第２信号端子とが接触し、その後に、他方の第１信号端子と他方の第２信号端子とが接触する。このため、レバーを回転させる力が分散して、レバーの操作性を向上させることができる。
【００１８】
また、レバーがコネクタ嵌合完了位置からコネクタ嵌合開始位置へ回転すると、他方の第１信号端子と他方の第２信号端子との接触が解除され、その後に、一方の第１信号端子と一方の第２信号端子との接触が解除される。このため、一対の第１信号端子と一対の第２信号端子とによって構成される信号回路スイッチが、より早いタイミングでオフ状態となる。従って、一対の第１メイン端子と一対の第２メイン端子のとの間で発生するアーク放電を抑制できる。
【００２０】
かかる特徴によれば、一対の第１信号端子及び一対の第２信号端子は、レバーの回転支持軸方向の直交方向に沿う直線上に沿った状態で配置される。これにより、従来のように一対の第２信号端子に折曲加工を施す必要がなくなるとともに、一対の第２信号端子間（連結部）を短くできるため、一対の第２信号端子の製造コストを低減させることができる。
【００２２】
かかる特徴によれば、一対の第１メイン端子及び一対の第２メイン端子は、レバーの回転支持軸方向の直交方向に沿う直線上に沿った状態で、それぞれ間隔を置いて配置される。これにより、レバーの回転支持軸方向に対する第１コネクタハウジングの幅及び第２コネクタハウジングの幅を狭くでき、電源回路遮断装置の自由度を増大させることができる。
【００２４】
かかる特徴によれば、操作部は、一対の第２信号端子の位置よりも回転先端側に設けられる。これにより、レバーの回転支持軸方向に対するレバーの幅をより狭くでき、電源回路遮断装置の自由度を増大させることができる。
【００２６】
かかる特徴によれば、操作部は、一対の第２信号端子の位置における側方側に設けられる。これにより、レバーの回転支持軸方向の直交方向に対するレバーの長さを短くでき、電源回路遮断装置の自由度を増大させることができる。
【発明の効果】
【００２７】
本発明の特徴によれば、レバーの操作性を向上させつつ、一対の第２信号端子の製造コストを低減できる電源回路遮断装置を提供することができる。
【図面の簡単な説明】
【００２８】
【図１】図１は、本実施形態に係る電源回路遮断装置１を示す分解斜視図である。
【図２】図２は、本実施形態に係る第１コネクタハウジング１０と第２コネクタハウジング２０との嵌合前を示す側面図である。
【図３】図３は、本実施形態に係る第１コネクタハウジング１０と第２コネクタハウジング２０との嵌合途中を示す側面図である。
【図４】図４は、本実施形態に係る第１コネクタハウジング１０と第２コネクタハウジング２０との嵌合状態を示す側面図である。
【図５】図５は、本実施形態に係る第１信号端子１６を示す斜視図である。
【図６】図６は、本実施形態に係る第１コネクタハウジング１０（第１信号端子１６近傍）を示す平面図である。
【図７】図７は、本実施形態に係る第２信号端子４０を示す斜視図・正面図である。
【図８】図８は、本実施形態に係るレバー３０の一部（第２信号端子４０近傍）を示す平面図である。
【図９】図９は、本実施形態に係る第１信号端子１６と第２信号端子４０との嵌合寸前を示す側面図である。
【図１０】図１０は、図９の拡大側面図である。
【図１１】図１１は、変更例に係るレバー３０の一部（第２信号端子４０近傍）を示す平面図である。
【図１２】図１２は、背景技術に係る電源回路遮断装置１００を示す分解斜視図である。
【図１３】図１３は、背景技術に係る第１コネクタハウジング１１０を示す平面図である。
【図１４】図１４は、背景技術に係るレバー１３０の一部（第２信号端子１３４近傍）を示す平面図である。
【図１５】図１５は、背景技術に係る第２信号端子１３４を示す斜視図である。
【発明を実施するための形態】
【００２９】
次に、本発明に係る電源回路遮断装置の実施形態について、図面を参照しながら説明する。具体的には、（１）電源回路遮断装置の構成、（２）信号端子の構成、（３）メイン端子の構成、（４）電源回路の構成、（５）作用・効果、（６）変更例、（７）その他の実施形態について説明する。
【００３０】
なお、以下の図面の記載において、同一または類似の部分には、同一または類似の符号を付している。ただし、図面は模式的なものであり、各寸法の比率などは現実のものとは異なることに留意すべきである。
【００３１】
したがって、具体的な寸法などは以下の説明を参酌して判断すべきである。また、図面相互間においても互いの寸法の関係や比率が異なる部分が含まれ得る。
【００３２】
（１）電源回路遮断装置の構成
まず、本実施形態に係る電源回路遮断装置１の構成について、図面を参照しながら説明する。図１は、本実施形態に係る電源回路遮断装置１を示す分解斜視図である。図２は、本実施形態に係る第１コネクタハウジング１０と第２コネクタハウジング２０との嵌合前を示す側面図である。図３は、本実施形態に係る第１コネクタハウジング１０と第２コネクタハウジング２０との嵌合途中を示す側面図である。図４は、本実施形態に係る第１コネクタハウジング１０と第２コネクタハウジング２０との嵌合状態を示す側面図である。
【００３３】
図１〜図４に示すように、電源回路遮断装置１は、第１コネクタハウジング１０と、第１コネクタハウジング１０に嵌合及び離脱する第２コネクタハウジング２０と、第２コネクタハウジング２０に回転可能に設けられ、且つ、回転によって第１コネクタハウジング１０と第２コネクタハウジング２０との間に嵌合力や離脱力を作用させるレバー３０とを備えている。
【００３４】
第１コネクタハウジング１０の両側面には、一対のカムピン１１が突設されている。第１コネクタハウジング１０は、上面が開放されたコネクタ嵌合室１０ａを有する。コネクタ嵌合室１０ａ内には、２つの内部端子フード部１２が設けられている。この各内部端子フード部１２内には、雌端子としての一対の第１メイン端子１３がそれぞれ設けられている。
【００３５】
第１コネクタハウジング１０には、コネクタ嵌合室１０ａの外側に外部端子フード部１５が設けられている。この外部端子フード部１５は、上方が開口している。外部端子フード部１５内には、雌端子としての一対の第１信号端子１６が設けられている。
【００３６】
外部端子フード部１５の側壁には、一対の第１被係止部１７が突設されている。第１被係止部１７は、外部端子フード部１５の側壁のスリット１５ａによって撓み変形容易になっている。
【００３７】
第２コネクタハウジング２０は、内部にヒューズ（不図示）が収容されたハウジング本体２１を備えている。このハウジング本体２１は、第１コネクタハウジング１０のコネクタ嵌合室１０ａや外部端子フード部１５内に嵌合及び離脱できる寸法及び形態に形成されている。ハウジング本体２１には、一対の第１メイン端子１３に嵌合及び離脱するとともに、雄端子としての板状体からなる一対の第２メイン端子２３が設けられており、ハウジング本体２１の両側面には、一対の回転支持軸２４が突設されている。
【００３８】
各第２メイン端子２３は、ハウジング本体２１より下方に突出している。各第２メイン端子２３は、ヒューズ（不図示）を介して接続されている。なお、上述した第１コネクタハウジング１０側の一対の第１メイン端子１３と第２コネクタハウジング２０側の一対の第２メイン端子２３とによって、メイン回路スイッチＳＷ１が構成されている。
【００３９】
レバー３０は、一対のアームプレート部３１と、一対のアームプレート部３１間を回転先端側でそれぞれ連結する連結部３２と、レバー３０の回転を操作可能な操作部３３とを備えている。
【００４０】
一対のアームプレート部３１には、一対の回転受け部３４が設けられている。この一対の回転受け部３４には、第２コネクタハウジング２０の一対の回転支持軸２４が軸支されている。これにより、レバー３０は、第２コネクタハウジング２０に回転自在に支持されている。一対のアームプレート部３１には、一対のカム溝３５が形成されており、一対のアームプレート部３１の回転先端側で且つ下方位置には、一対の第１ロック部３７が配置されている。
【００４１】
この一対のカム溝３５には、第１コネクタハウジング１０のカムピン１１が挿入される。カム溝３５は、図４に示すように、カムピン１１の進入が可能な進入ストレート部３５ａと、進入ストレート部３５ａに連通し且つ回転受け部３４の中心からの距離が徐々に変化する曲線部３５ｂと、曲線部３５ｂに連通し且つ回転受け部３４の中心からの距離が一定である円弧部３５ｃとを有する。
【００４２】
レバー３０は、カム溝３５内をカムピン１１が移動しつつレバーのコネクタ嵌合開始位置から、コネクタ嵌合操作位置を経てコネクタ嵌合完了位置までの間を回転する。なお、コネクタ嵌合開始位置では、進入ストレート部３５ａにカムピン１１が位置する（図２参照）。コネクタ嵌合操作位置では、曲線部３５ｂと円弧部３５ｃの境界位置にカムピン１１が位置する（図３参照）。コネクタ嵌合完了位置では、円弧部３５ｃの最奥位置にカムピン１１が位置する（図４参照）。
【００４３】
つまり、レバー３０のコネクタ嵌合開始位置とコネクタ嵌合操作位置との回転過程では、カムピン１１が曲線部３５ｂを移動可能であり、第１コネクタハウジング１０と第２コネクタハウジング２０との間に嵌合力又は離脱力が作用する。これにより、第１コネクタハウジング１０と第２コネクタハウジング２０と嵌合方向又は離脱方向に移動する。
【００４４】
なお、レバー３０がコネクタ嵌合完了位置にあると、カムピン１１が円弧部３５ｃに位置して、第１コネクタハウジング１０と第２コネクタハウジング２０との間に嵌合力又は離脱力が作用せず、第１コネクタハウジング１０と第２コネクタハウジング２０とが嵌合方向又は離脱方向に移動することはない。
【００４５】
操作部３３の下部には、フード部３９が設けられている。フード部３９は、下方に開口している。フード部３９内には、一対の第１信号端子１６に嵌合及び離脱するとともに、雄端子としての板状体からなる一対の第２信号端子４０が設けられている。このような操作部３３は、一対の第２信号端子４０の位置よりも回転先端側に設けられている。なお、上述した第１コネクタハウジング１０側の一対の第１信号端子１６とレバー３０側の一対の第２信号端子４０とによって、信号回路スイッチＳＷ２（図４参照）が構成されている。
【００４６】
（２）信号端子の構成
次に、上述した第１信号端子１６及び第２信号端子４０の構成について、図面を参照しながら説明する。なお、図５は、本実施形態に係る第１信号端子１６を示す斜視図である。図６は、本実施形態に係る第１コネクタハウジング１０（第１信号端子１６近傍）を示す平面図である。図７は、本実施形態に係る第２信号端子４０を示す斜視図・正面図である。図８は、本実施形態に係るレバー３０の一部（第２信号端子４０近傍）を示す平面図である。
【００４７】
図５に示すように、一対の第１信号端子１６は、一対の板ばね接触子１６ａと、これに一体に連結された電線加締部１６ｂとをそれぞれ備えている。一対の板ばね接触子１６ａは、先端側が共に内側にアール状に折り返され、この双方の折り返し箇所の間に入口側が広く奥側が幅狭である開口１６ｃが形成されている。
【００４８】
このような一対の第１信号端子１６（開口１６ｃ）は、図６に示すように、レバー３０の回転支持軸方向の直交方向に沿う直線Ｌ上に沿った状態で、それぞれ間隔を置いて配置されている。
【００４９】
一方、図７に示すように、一対の第２信号端子４０は、タブ状接触子４０ａと、これに一体に連結された支持部４０ｂとを備えている。この支持部４０ｂ同士は、連結部４０ｃによって互いに連結されている。タブ状接触子４０ａの先端で且つ第１信号端子１６に先に接触する角部がテーパ面４０ｄとされている。
【００５０】
このような一対の第２信号端子４０は、一対の第１信号端子１６に嵌合及び離脱可能なように、図８に示すように、レバー３０の回転支持軸方向の直交方向に沿う直線Ｌ上に沿った状態で、それぞれ間隔を置いて配置されている。
【００５１】
（３）メイン端子の構成
次に、上述した第１メイン端子１３及び第２メイン端子２３の構成について、図面を参照しながら説明する。
【００５２】
図６に示すように、一対の第１メイン端子１３（第２メイン端子２３が挿入される開口）は、レバー３０の回転支持軸方向の直交方向に沿う直線Ｌ上に沿った状態で、それぞれ間隔を置いて配置されている。
【００５３】
一方、図１〜４等に示すように、一対の第２メイン端子２３についても、一対の第１メイン端子１３に嵌合及び離脱可能なように、レバー３０の回転支持軸方向の直交方向に沿う直線Ｌ（図８参照）上に沿った状態で、それぞれ間隔を置いて配置されている。
【００５４】
（４）電源回路の構成
次に、上述した電源回路遮断装置１に関わる電源回路の構成を簡単に説明する。電源部（不図示）と負荷部（不図示）の間には、メイン回路スイッチＳＷ１と、信号回路スイッチＳＷ２によってオン・オフされるリレー（不図示）が直列接続されている。従って、メイン回路スイッチＳＷ１と信号回路スイッチＳＷ２が共にオン状態となって、電源回路はオン状態となる。それ以外のスイッチ状態では電源回路はオフ状態である。
【００５５】
（４．１）電源回路の導通動作
次に、上述した電源回路遮断装置１による電源回路の導通動作について、図１〜図４及び図９，図１０を参照しながら説明する。なお、図９は、本実施形態に係る第１信号端子１６と第２信号端子４０との嵌合寸前を示す側面図である。図１０は、図９の拡大側面図である。
【００５６】
まず、図１に示すように、レバー３０のコネクタ嵌合開始位置として、第２コネクタハウジング２０を第１コネクタハウジング１０のコネクタ嵌合室１０ａに位置合わせする。そして、図２に示すように、第２コネクタハウジング２０を第１コネクタハウジング１０のコネクタ嵌合室１０ａに挿入するとともに、レバー３０のカム溝３５の進入ストレート部３５ａにカムピン１１を挿入する。双方の第１コネクタハウジング１０と第２コネクタハウジング２０との間は、コネクタ仮嵌合状態となる。このとき、一対の第１メイン端子１３及び一対の第２メイン端子２３の間と、一対の第１信号端子１６及び一対の第２信号端子４０の間とが共にオフ状態である。
【００５７】
次に、図３に示すように、レバー３０がコネクタ嵌合開始位置からコネクタ嵌合完了位置側に回転する。すると、カムピン１１がカム溝３５内を移動し、第１コネクタハウジング１０と第２コネクタハウジング２０との間に嵌合力が作用して第２コネクタハウジング２０が第１コネクタハウジング１０のコネクタ嵌合室１０ａに徐々に挿入される。
【００５８】
そして、レバー３０がコネクタ嵌合操作位置まで回転すると、第１コネクタハウジング１０と第２コネクタハウジング２０との間が完全嵌合状態となる。コネクタ嵌合操作位置からコネクタ嵌合完了位置までの過程では、一対の第１メイン端子１３及び一対の第２メイン端子２３の間がオン状態となり、メイン回路スイッチＳＷ１はオン状態となる。このとき、一対の第１信号端子１６及び一対の第２信号端子４０の間とが共にオフ状態である。
【００５９】
図９及び図１０に示すように、レバー３０がコネクタ嵌合完了位置側にさらに回転すると、一方の第１信号端子１６と一方の第２信号端子４０と（図面左側）が接触し、その後、他方の第１信号端子１６と他方の第２信号端子４０と（図面右側が接触する。
【００６０】
そして、図４に示すように、レバー３０がコネクタ嵌合完了位置まで回転すると、第１ロック部３７が第１被係止部１７にロックされる。レバー３０のコネクタ嵌合開始位置からコネクタ嵌合完了位置への回転では、一対の第１メイン端子１３及び一対の第２メイン端子２３の間がオン状態となった後に、一対の第１信号端子１６と一対の第２信号端子４０との接触がオン状態となり、信号回路スイッチＳＷ２は、オン状態となる。なお、電源回路は、レバー３０のコネクタ嵌合操作位置では非導通であり、レバー３０がコネクタ嵌合完了位置になって初めて導通状態となる。
【００６１】
（４．２）電源回路の電源遮断動作
次に、上述した電源回路遮断装置１による電源回路の電源遮断動作について、図１〜図４及び図９，図１０を参照しながら説明する。
【００６２】
まず、図４に示すように、レバー３０がコネクタ嵌合完了位置にあって、レバー３０を第１被係止部１７と第１ロック部３７との間のロック力より強い回転力でコネクタ嵌合開始位置側に回転する。すると、第１被係止部１７と第１ロック部３７と間のロックが外れてレバー３０の回転が許容される。これにより、図３に示すように、レバー３０がコネクタ完全嵌合操作位置で回転可能となる。
【００６３】
このレバー３０のコネクタ嵌合完了位置からコネクタ嵌合操作位置までの回転過程では、図９及び図１０に示すように、他方の第１信号端子１６と他方の第２信号端子４０と（図面右側）の接触が解除され、その後、一方の第１信号端子１６と一方の第２信号端子４０と（図面左側）の接触が解除される。従って、レバー３０のコネクタ嵌合操作位置では、信号回路スイッチＳＷ２は、オフ状態となる。これにより、電源回路は、レバー３０のコネクタ嵌合操作位置で非導通となる。
【００６４】
次に、レバー３０がコネクタ嵌合開始位置まで回転すると、カムピン１１とカム溝３５とによって、第１コネクタハウジング１０と第２コネクタハウジング２０との間に離脱力が作用して第２コネクタハウジング２０が第１コネクタハウジング１０のコネクタ嵌合室１０ａから徐々に引き出される。
【００６５】
図２に示すように、レバー３０のコネクタ嵌合開始位置では、第１コネクタハウジング１０と第２コネクタハウジング２０との間は、仮嵌合状態となる。双方の第１メイン端子１３と第２メイン端子２３との接触は、コネクタ嵌合操作位置からコネクタ嵌合開始位置までの過程で徐々に解除され、コネクタ嵌合開始位置では完全に非接触状態となる。つまり、レバー３０のコネクタ嵌合完了位置からコネクタ嵌合開始位置への回転では、一対の第１信号端子１６と一対の第２信号端子４０との接触がオフ状態となった後に、一対の第１メイン端子１３及び一対の第２メイン端子２３の間がオフ状態となり、メイン回路スイッチＳＷ１は、オフ状態となる。
【００６６】
（５）作用・効果
以上説明した本実施形態では、一対の第１信号端子１６及び一対の第２信号端子４０は、レバー３０の回転支持軸方向の直交方向に沿う直線Ｌ上にそれぞれ間隔を置いて配置される。これにより、レバー３０がコネクタ嵌合開始位置からコネクタ嵌合完了位置へ回転すると、一方の第１信号端子１６と一方の第２信号端子４０とが接触し、その後に、他方の第１信号端子１６と他方の第２信号端子４０とが接触する。このため、レバー３０を回転させる力が分散して、レバー３０の操作性を向上させることができる。
【００６７】
また、レバー３０がコネクタ嵌合完了位置からコネクタ嵌合開始位置へ回転すると、他方の第１信号端子１６と他方の第２信号端子４０との接触が解除され、その後に、一方の第１信号端子１６と一方の第２信号端子４０との接触が解除される。このため、一対の第１信号端子１６と一対の第２信号端子４０とによって構成される信号回路スイッチＳＷが、より早いタイミングでオフ状態となる。従って、一対の第１メイン端子１３と一対の第２メイン端子２３のとの間で発生するアーク放電を抑制できる。
【００６８】
本実施形態では、一対の第１信号端子１６及び一対の第２信号端子４０は、レバー３０の回転支持軸方向の直交方向に沿う直線Ｌ上に沿った状態で配置される。これにより、従来のように一対の第２信号端子４０に折曲加工を施す必要がなくなるとともに、一対の第２信号端子４０間（連結部４０ｃ）を短くできるため、一対の第２信号端子４０の製造コストを低減させることができる。
【００６９】
本実施形態では、一対の第１メイン端子１３及び一対の第２メイン端子２３は、レバー３０の回転支持軸方向の直交方向に沿う直線Ｌ上に沿った状態で、それぞれ間隔を置いて配置される。これにより、レバー３０の回転支持軸方向に対する第１コネクタハウジング１０の幅及び第２コネクタハウジング２０の幅を狭くでき、電源回路遮断装置１の自由度を増大させることができる。
【００７０】
本実施形態では、操作部３３は、一対の第２信号端子４０の位置よりも回転先端側に設けられる。これにより、レバー３０の回転支持軸方向に対するレバー３０の幅をより狭くでき、電源回路遮断装置１の自由度を増大させることができる。
【００７１】
（６）変更例
次に、上述した実施形態に係る電源回路遮断装置１の変更例について、図面を参照しながら説明する。図１１は、変更例に係るレバー３０の一部（第２信号端子４０近傍）を示す平面図である。なお、上述した実施形態に係る電源回路遮断装置１と同一部分には同一の符号を付して、相違する部分を主として説明する。
【００７２】
上述した実施形態では、操作部３３は、一対の第２信号端子４０の位置よりも回転先端側に設けられている。これに対して、変更例では、図１１に示すように、操作部３３は、一対の第２信号端子４０の位置における側方側（すなわち、レバー３０の回転支持軸方向側）に設けられる。
【００７３】
このような変更例では、操作部３３は、一対の第２信号端子４０の位置における側方側に設けられる。これにより、レバー３０の回転支持軸方向の直交方向に対するレバー３０の長さを短くでき、電源回路遮断装置１の自由度を増大させることができる。
【００７４】
（７）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７５】
例えば、本発明の実施形態は、次のように変更することができる。具体的には、一対の第１メイン端子１３は、必ずしも直線Ｌ上に沿って配置される必要はなく、互いに対向するように配置されていてもよい。同様に、一対の第２メイン端子２３についても、必ずしも直線Ｌ上に沿って配置される必要はなく、互いに対向するように配置されていてもよい。
【００７６】
また、一対の第１信号端子１６（開口１６ｃ）は、必ずしも直線Ｌ上に沿った状態で配置される必要はなく、該直線Ｌ上にそれぞれ間隔を置いて配置されていればよい。同様に、一対の第２信号端子４０は、必ずしも直線Ｌ上に沿った状態で配置される必要はなく、該直線Ｌ上にそれぞれ間隔を置いて配置されていればよく、例えば、互いに対向配置されていてもよい。
【００７７】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７８】
１…電源回路遮断装置
１０…第１コネクタハウジング
１３…第１メイン端子
１６…第１信号端子
２０…第２コネクタハウジング
２３…第２メイン端子
２４…回転支持軸
３０…レバー
４０…第２信号端子
【図１】
0005858745.tif 000002
【図２】
0005858745.tif 000003
【図３】
0005858745.tif 000004
【図４】
0005858745.tif 000005
【図５】
0005858745.tif 000006
【図６】
0005858745.tif 000007
【図７】
0005858745.tif 000008
【図８】
0005858745.tif 000009
【図９】
0005858745.tif 000010
【図１０】
0005858745.tif 000011
【図１１】
0005858745.tif 000012
【図１２】
0005858745.tif 000013
【図１３】
0005858745.tif 000014
【図１４】
0005858745.tif 000015
【図１５】
0005858745.tif 000016